(57)【要約】  本発明は、グループＩＩやグループＩＩＩの基油を使用してもデポジットの生成が少なく、優れた高温清浄性を有するトランクピストン型ディーゼル機関用潤滑油として、（Ａ）飽和炭化水素が９０質量％以上、硫黄分が元素量で０．０３質量％以下、粘度指数が８０以上、１００℃での動粘度が３〜３５ｍｍ2／ｓの鉱油系潤滑油基油と、（Ｂ）鉱油系潤滑油基油製造過程において、溶剤精製する際に副生する％ＣＡが１５％以上のエキストラクト（Ｂ１）を基油全量基準で５質量％以上、又は、飽和炭化水素が９０質量％より少なく、硫黄分が元素量で０．０３質量％を超え、１００℃での動粘度が３０ｍｍ2／ｓ以上の鉱油系潤滑油基油（Ｂ２）を基油全量基準で２０質量％以上とを含み、１００℃での動粘度が５〜１６ｍｍ2／ｓである基油に、（Ｄ）金属系清浄剤と（Ｅ）無灰分散剤とを配合してなるトランクピストン型ディーゼル機関用潤滑油組成物を提供する。【特許請求の範囲】
【請求項１】
（Ａ）飽和炭化水素が９０質量％以上で、硫黄分が元素量で０．０３質量％以下で、粘度指数が８０以上で、１００℃での動粘度が３〜３５ｍｍ2／ｓである鉱油系潤滑油基油と、
（Ｂ）鉱油系潤滑油基油製造過程において、溶剤精製する際に副生するＡＳＴＭ  Ｄ２１４０に規定される組成分析法による芳香族炭化水素化合物（％ＣＡ）を１５％以上含有するエキストラクト（Ｂ１）を基油全量基準で５質量％以上、又は、飽和炭化水素が９０質量％より少なく、硫黄分が元素量で０．０３質量％を超え、１００℃での動粘度が３０ｍｍ2／ｓ以上の鉱油系潤滑油基油（Ｂ２）を基油全量基準で２０質量％以上と
を含み、１００℃での動粘度が５〜１６ｍｍ2／ｓである基油に、
（Ｄ）金属系清浄剤と、
（Ｅ）無灰分散剤と
を配合してなるトランクピストン型ディーゼル機関用潤滑油組成物。
【請求項２】
（Ａ）飽和炭化水素が９０質量％以上で、硫黄分が元素量で０．０３質量％以下で、粘度指数が８０以上で、１００℃での動粘度が３〜３５ｍｍ2／ｓである鉱油系潤滑油基油と、
（Ｂ）鉱油系潤滑油基油製造過程において、溶剤精製する際に副生するＡＳＴＭ  Ｄ２１４０に規定される組成分析法による芳香族炭化水素化合物（％ＣＡ）を１５％以上含有するエキストラクト（Ｂ１）を基油全量基準で５質量％以上と、
（Ｃ）ポリブテン系合成油又はその水素化物と
を含み、１００℃での動粘度が５〜１６ｍｍ2／ｓである基油に、
（Ｄ）金属系清浄剤と、
（Ｅ）無灰分散剤と
を配合してなる請求項１に記載のトランクピストン型ディーゼル機関用潤滑油組成物。
【請求項３】
前記（Ｂ）成分は、ＰＣＡの含有量が３質量％未満であるエキストラクトであることを特徴とする請求項１又は２に記載のトランクピストン型ディーゼル機関用潤滑油組成物。
【請求項４】
前記（Ｂ）成分は、ＭＩ値が１．０未満で、ベンゾ［ａ］ピレンの含有量が１ｍｇ／ｋｇ以下で、特定芳香族化合物（ＰＡＨ）の含有量が１０ｍｇ／ｋｇ以下であるエキストラクトであることを特徴とする請求項１〜３のいずれか一項に記載のトランクピストン型ディーゼル機関用潤滑油組成物。
【請求項５】
前記基油に含まれる２環以上の芳香族分が２質量％以上であることを特徴とする請求項１〜４のいずれか一項に記載のトランクピストン型ディーゼル機関用潤滑油組成物。
【請求項６】
１００℃での動粘度が５．６〜１６．３ｍｍ2／ｓで、塩基価が９〜５５ｍｇＫＯＨ／ｇ（過塩素酸法）であることを特徴とする請求項１〜５のいずれか一項に記載のトランクピストン型ディーゼル機関用潤滑油組成物。
【発明の詳細な説明】
【技術分野】
【０００１】
本発明は、トランクピストン型ディーゼル機関用潤滑油組成物に関する。
【背景技術】
【０００２】
舶用のトランクピストン型ディーゼル機関の燃料としては、Ａ重油やＣ重油等のアスファルテン成分を含む燃料が使用されることが多いが、燃料由来のアスファルテン成分でディーゼル機関が汚損されるため、潤滑油に清浄剤を多量に配合することが一般的である（下記特許文献１参照）。そのため、舶用のトランクピストン型ディーゼル機関用潤滑油には、多量に添加する清浄剤の溶解性と、燃料から混入する未燃アスファルテンや燃焼生成樹脂等の溶解性が求められる。特に、未燃アスファルテンの溶解性は、ピストンの破損につながる恐れのあるブラックスラッジの発生防止のために重要である。【０００３】
ところで、従来のトランクピストン型ディーゼル機関用潤滑油に使用される基油は、主として、原油からガソリンや軽油分を蒸留分離した後の常圧蒸留残渣油を、さらに減圧蒸留し、必要とする粘度留分を取り出し、それを精製して製造されている。これらの基油はＡＰＩの基油分類でグループＩに分類されるものである。【０００４】
近年では、基油に含まれる硫黄分並びに芳香族分が、基油の酸化安定性に悪影響を与えるため、上記残渣油を水素化分解し、硫黄分や芳香族分が極めて少ない基油が製造されるようになってきている。【０００５】
また、フィッシャー・トロプシュ法で製造されるワックスや基油を製造する際に副生する石油系ワックス等を水素化分解して、極めて粘度指数の高い基油が製造されている。これらの水素化分解して製造された基油は、ＡＰＩの基油分類でグループＩＩあるいはＩＩＩに分類されるものである。【０００６】
前者の基油（グループＩ）の精製過程では、フルフラール、フェノール、メチルピロリドン等の溶剤を使用して、芳香族分を中心とする、不安定な化合物を選択的に抽出除去するプロセスが多く採用されている。これに対し、後者の基油の製造方法では、基油中の芳香族分は極めて少なく、前述した溶剤精製工程を経る必要はほとんどない。このため、相対的に溶剤精製プロセスを経た基油の製造量が減少しつつある。【０００７】
ところで、重質な燃料を使用する場合、重質燃料にはアスファルテンのような多環芳香族が含まれており、内燃機関の場合、未燃焼物の一部として潤滑油に混入する。この未燃焼物はグループＩ基油には比較的容易に溶解するが、グループＩＩ基油やグループＩＩＩ基油には溶解性が悪いため、潤滑油経路や潤滑部に堆積したり、また、酸化劣化し易いため、さらに容易にデポジットを形成してしまう。
【先行技術文献】
【特許文献】
【０００８】
【特許文献１】特表２００２−５１５９３３号公報
【発明の概要】
【発明が解決しようとする課題】
【０００９】
本発明は、これらの状況から、重質燃料を使用する、トランクピストン型ディーゼル機関用潤滑油として、グループＩＩやグループＩＩＩの基油を使用してもデポジットの生成が少なく、優れた高温清浄性を有するトランクピストン型ディーゼル機関用潤滑油を提供することを目的とする。
【課題を解決するための手段】
【００１０】
本発明者らは上記課題を解決するために鋭意研究した結果、グループＩＩ及び／又はグループＩＩＩの基油に、溶剤精製時に副生するエキストラクト又はグループＩの基油を加えることにより、上記課題を改善できることを見出し、本発明を完成するに至ったものである。【００１１】
即ち、本発明は、
（Ａ）飽和炭化水素が９０質量％以上で、硫黄分が元素量で０．０３質量％以下で、粘度指数が８０以上で、１００℃での動粘度が３〜３５ｍｍ2／ｓである鉱油系潤滑油基油と、
（Ｂ）鉱油系潤滑油基油製造過程において、溶剤精製する際に副生するＡＳＴＭ  Ｄ２１４０に規定される組成分析法による芳香族炭化水素化合物（％ＣＡ）を１５％以上含有するエキストラクト（Ｂ１）を基油全量基準で５質量％以上、又は、飽和炭化水素が９０質量％より少なく、硫黄分が元素量で０．０３質量％を超え、１００℃での動粘度が３０ｍｍ2／ｓ以上の鉱油系潤滑油基油（Ｂ２）を基油全量基準で２０質量％以上と
を含み、１００℃での動粘度が５〜１６ｍｍ2／ｓである基油に、
（Ｄ）金属系清浄剤と、
（Ｅ）無灰分散剤と
を配合してなるトランクピストン型ディーゼル機関用潤滑油組成物である。【００１２】
本発明のトランクピストン型ディーゼル機関用潤滑油組成物としては、
（Ａ）飽和炭化水素が９０質量％以上で、硫黄分が元素量で０．０３質量％以下で、粘度指数が８０以上で、１００℃での動粘度が３〜３５ｍｍ2／ｓである鉱油系潤滑油基油と、
（Ｂ）鉱油系潤滑油基油製造過程において、溶剤精製する際に副生するＡＳＴＭ  Ｄ２１４０に規定される組成分析法による芳香族炭化水素化合物（％ＣＡ）を１５％以上含有するエキストラクト（Ｂ１）を基油全量基準で５質量％以上と、
（Ｃ）ポリブテン系合成油又はその水素化物と
を含み、１００℃での動粘度が５〜１６ｍｍ2／ｓである基油に、
（Ｄ）金属系清浄剤と、
（Ｅ）無灰分散剤と
を配合してなる潤滑油組成物が好ましい。【００１３】
本発明のトランクピストン型ディーゼル機関用潤滑油組成物においては、前記（Ｂ）成分は、ＰＣＡの含有量が３質量％未満であるエキストラクトであることが好ましい。【００１４】
また、本発明のトランクピストン型ディーゼル機関用潤滑油組成物においては、前記（Ｂ）成分は、ＭＩ値が１．０未満で、ベンゾ［ａ］ピレンの含有量が１ｍｇ／ｋｇ以下で、特定芳香族化合物（ＰＡＨ）の含有量が１０ｍｇ／ｋｇ以下であるエキストラクトであることも好ましい。【００１５】
また、本発明のトランクピストン型ディーゼル機関用潤滑油組成物においては、前記基油に含まれる２環以上の芳香族分が２質量％以上であることが好ましい。【００１６】
また、本発明のトランクピストン型ディーゼル機関用潤滑油組成物は、１００℃での動粘度が５．６〜１６．３ｍｍ2／ｓで、塩基価が９〜５５ｍｇＫＯＨ／ｇ（過塩素酸法）であることが好ましい。
【発明の効果】
【００１７】
本発明によれば、重質燃料を使用する、トランクピストン型ディーゼル機関の潤滑油として、グループＩＩやグループＩＩＩの基油を使用してもデポジットの生成が少ないトランクピストン型ディーゼル機関用潤滑油を提供することができる。
【発明を実施するための形態】
【００１８】
以下に、本発明を詳細に説明する。本発明のトランクピストン型ディーゼル機関用潤滑油組成物（以下、単に潤滑油組成物ともいう）における基油は、
（Ａ）飽和炭化水素が９０質量％以上で、硫黄分が元素量で０．０３質量％以下で、粘度指数が８０以上で、１００℃での動粘度が３〜３５ｍｍ2／ｓである鉱油系潤滑油基油と、
（Ｂ）鉱油系潤滑油基油製造過程において、溶剤精製する際に副生するＡＳＴＭ  Ｄ２１４０に規定される組成分析法による芳香族炭化水素化合物（％ＣＡ）を１５％以上含有するエキストラクト（Ｂ１）を基油全量基準で５質量％以上、又は、飽和炭化水素が９０質量％より少なく、硫黄分が元素量で０．０３質量％を超え、１００℃での動粘度が３０ｍｍ2／ｓ以上の鉱油系潤滑油基油（Ｂ２）を基油全量基準で２０質量％以上と
を含み、１００℃での動粘度が５〜１６ｍｍ2／ｓである。また、本発明の潤滑油組成物の基油は、上記（Ｂ）成分として、鉱油系潤滑油基油製造過程において、溶剤精製する際に副生するＡＳＴＭ  Ｄ２１４０に規定される組成分析法による芳香族炭化水素化合物（％ＣＡ）を１５％以上含有するエキストラクト（Ｂ１）を基油全量基準で５質量％以上含む場合、更に、（Ｃ）ポリブテン系合成油又はその水素化物を含むことが好ましい。
【００１９】
上記（Ａ）成分は、飽和炭化水素が９０質量％以上で、硫黄分が元素量で０．０３質量％以下で、粘度指数が８０以上で、１００℃での動粘度が３〜３５ｍｍ2／ｓの鉱油系潤滑油基油であり、ＡＰＩ（米国石油学会）による基油分類に基づく分類でグループＩＩ及びグループＩＩＩに分類されるものである。なお、本発明において、飽和炭化水素の含有量は、ＡＳＴＭ  Ｄ−２００７で測定された値を意味する。
【００２０】
上記鉱油系潤滑油基油の製造方法については、特に制限はないが、一般的には、原油を常圧蒸留して得られる常圧残油を、脱硫、水素化分解し、設定された粘度グレードに分留、あるいはその残油を溶剤脱ろう、あるいは接触脱ろうし、必要であればさらに、溶剤抽出、水素化し基油としたものである。
【００２１】
上記（Ａ）成分には、また、近年は、常圧蒸留残油をさらに減圧蒸留し、必要な粘度グレードに分留した後、溶剤精製、水素化精製等のプロセスを経て、溶剤脱ろうして製造する基油製造過程において、脱ろう過程において副性する、石油系ワックスを、水素化異性化した石油系ワックス異性化潤滑油基油や、フィッシャー・トロプシュプロセス等により製造されるＧＴＬ  ＷＡＸ（ガストゥリキッドワックス）を異性化する手法で製造されるＧＴＬ系ワックス異性化潤滑油基油等も含まれる。この場合のワックス異性化潤滑油基油の製造方法は、基本的な製造過程は水素化分解基油の製造方法と同じである。
【００２２】
上記（Ａ）成分の鉱油系潤滑油基油の全芳香族分は、特に制限はないが、一実施態様では３質量％以下であり、他の実施態様では１質量％以下であり、更に他の実施態様では０．５質量％以下である。ここで、鉱油系潤滑油基油の全芳香族分が少ないほど、即ち、芳香族性が低いほど、スラッジの溶解性の問題が発生し易いことになる。なお、上記全芳香族分とは、ＡＳＴＭ  Ｄ２５４９に準拠して測定した芳香族留分含有量を意味する。
【００２３】
また、上記（Ａ）成分である鉱油系潤滑油基油の硫黄分は、０．０３質量％以下であり、一実施態様では０．０１質量％以下であり、また、他の実施態様では、該鉱油系潤滑油基油は、実質的に硫黄を含有しない。ここで、硫黄分が少ないほど精製度が高いことを意味し、スラッジの溶解性の問題が発生し易いことになる。
【００２４】
上記（Ａ）成分である鉱油系潤滑油基油の１００℃での動粘度は、３〜３５ｍｍ2／ｓであり、好ましくは４ｍｍ2／ｓ以上、特に好ましくは５ｍｍ2／ｓ以上であり、また、好ましくは３４ｍｍ2／ｓ以下、特に好ましくは３３ｍｍ2／ｓ以下である。（Ａ）成分の鉱油系潤滑油基油の１００℃での動粘度が３５ｍｍ2／ｓを超える場合は、低温粘度特性が悪化し、一方、その動粘度が３ｍｍ2／ｓ未満の場合は、潤滑箇所での油膜形成が不十分であるため潤滑性に劣り、また潤滑油基油の蒸発損失が大きくなる。なお、本発明において、１００℃での動粘度とは、ＡＳＴＭ  Ｄ−４４５に規定される１００℃での動粘度を指す。
【００２５】
上記（Ａ）成分である鉱油系潤滑油基油の粘度指数は、８０以上であり、一実施態様では９５以上であり、他の実施態様では１０５以上である。ここで、鉱油系潤滑油基油の粘度指数が高いほど、スラッジの溶解性の問題が発生し易いことになる。なお、本発明において、粘度指数は、ＪＩＳ  Ｋ２２８３−２０００に準拠して測定された粘度指数を意味する。
【００２６】
一方、上記（Ａ）成分の鉱油系潤滑油基油の粘度指数の上限については特に制限はないが、ノルマルパラフィン、スラックワックスやＧＴＬワックス等、あるいはこれらを異性化したイソパラフィン系鉱油のような粘度指数が１２５〜１７０程度のものも使用することができる。但し、低温流動性の点で、上記鉱油系潤滑油基油の粘度指数は１６０以下であることが好ましい。
【００２７】
上述の（Ａ）成分の鉱油系潤滑油基油の配合量は、基油全量基準で５０質量％以上が好ましく、より好ましくは５５質量％以上であり、より一層好ましくは６０質量％以上であり、また、好ましくは９５質量％以下であり、より好ましくは９０質量％以下である。
【００２８】
本発明のトランクピストン型ディーゼル機関用潤滑油組成物における基油は、（Ｂ）成分として、鉱油系潤滑油基油製造過程において、溶剤精製する際に副生するエキストラクト（Ｂ１）を基油全量基準で５質量％以上、又は、飽和炭化水素が９０質量％より少なく、硫黄分が元素量で０．０３質量％を超え、１００℃での動粘度が３０ｍｍ2／ｓ以上の鉱油系潤滑油基油（Ｂ２）を基油全量基準で２０質量％以上含有する。
【００２９】
上記溶剤精製する際に副生するエキストラクトは、カラムクロマトグラフィによれば７０〜９９％の芳香族化合物を含有し、ＡＳＴＭ  Ｄ２１４０に規定される組成分析法による芳香族炭化水素化合物（％ＣＡ）を１５％以上含み、イギリス石油協会の規定によるＩＰ３４６法に従ってＤＭＳＯ（ジメチルスルホキシド）により抽出されるＰＣＡ（多環芳香族化合物）を５〜２５質量％含有するものである。
【００３０】
上記溶剤精製する際に副生するエキストラクトの製法は特に限定されないが、一つの例として、原油の減圧蒸留によって得られる潤滑油留分、減圧蒸留残油を脱れきした後、必要に応じて脱ろう処理や水素化精製処理し、芳香族炭化水素に親和性を有する溶剤で油を溶剤抽出処理することによって得られる油が用いられる。
【００３１】
上記溶剤抽出処理とは、溶剤を用いて芳香族含有量の少ないラフィネートと芳香族含有量の多いエキストラクトに分離する操作をいい、溶剤としては、フルフラール、フェノール、クレゾール、スルフォラン、Ｎ−メチルピロリドン、ジメチルスルホキシド、フォルミルモルフォリン、グリコール系溶剤等が用いられる。
【００３２】
しかしながら、近年、ＰＣＡ（多環芳香族化合物）による発ガン性が重要視され、ヨーロッパでは、３質量％以上のＰＣＡを含有する油などには有毒表示が義務づけられ、使用を規制する動きがある。従って、上記（Ｂ）成分としてのエキストラクト（Ｂ１）は、ＰＣＡの含有量が３質量％未満、即ち、イギリス石油協会の規定によるＩＰ３４６法に従ってＤＭＳＯ（ジメチルスルホキシド）により抽出されるＰＣＡ（多環芳香族化合物）の含有量が３質量％未満であることが好ましい。
【００３３】
エキストラクト中のＰＣＡの含有量は、溶剤抽出処理における分離能、用いた溶剤、原料油／溶剤比、反応温度などにより変化する。従って、これらの条件を適宜変えることによってＰＣＡ含有量を３質量％以下に制御することが可能である。また、エキストラクト（Ｂ１）のＰＣＡ含有量を３質量％以下に制御するために、水素化分解処理も好ましく用いられる。
【００３４】
ＰＣＡ含量が３質量％未満の（Ｂ）成分としてのエキストラクト（Ｂ１）について、その製造方法に制限はないが、以下のような製造方法を例示できる。
【００３５】
特表平６−５０５５２４号公報は、減圧蒸留残留分を脱れき処理し、得られた油を脱ろう処理してＰＣＡ含量を３質量％未満に減少させたプロセス油を製造するプロセスを開示している。また、特表平７−５０１３４６号公報は、非発ガン性ブライトストック抽出物及びＰＣＡ含量の低い脱れき油並びにその生成プロセスを開示し、該公報には、真空蒸留カラム中の残渣の脱れきによって得られる油又は脱れき油の抽出処理によって芳香族化合物が減少した油あるいはその脱ろう処理によって得られる油が開示されている。
【００３６】
また、特開平１１−８０７５１号公報には、溶剤抽出で、向流接触型の抽出塔を用い、特定の条件で抽出処理を行うことにより、石油系炭化水素混合物から、ＩＰ３４６試験法による多環芳香族化合物含有量１．６質量％未満の抽出残油を得、更に第２段階の溶剤抽出でＩＰ３４６試験法による多環芳香族化合物含有量３質量％未満の石油系芳香族炭化水素油を抽出油として得る製造方法が開示されている。
【００３７】
更に、特開２０００−８０２０８号公報には、原油の減圧蒸留による潤滑油留分と原油の減圧蒸留残渣の脱れきによる脱れき油とからなる群より選択される原料油を調製する原料調製工程と、該原料油を芳香族炭化水素に選択的親和性を有する溶剤で溶剤抽出する溶剤抽出工程とを有し、該溶剤抽出工程においてＩＰ３４６法によって決定されるエキストラクトの多環芳香族化合物含量が３質量％未満でアニリン点が８０℃以下となるように抽出条件を定めることを特徴とするゴムプロセス油の製造方法が開示されている。
【００３８】
また、上記（Ｂ）成分としてのエキストラクト（Ｂ１）は、前述したようにＰＣＡによる発ガン性が低いことが好ましいが、または、変異原性指数ＭＩが１．０未満であることも好ましい。もちろんＰＣＡが３質量％未満であり且つ変異原性指数ＭＩが１．０未満であることがより好ましい。また、ＰＣＡが３質量％未満であり且つ変異原性指数ＭＩが０．４未満であることが更に好ましい。
【００３９】
上記変異原性指数ＭＩは、ＡＳＴＭ−Ｅ−１６８７−１０に規定する“Ｓｔａｎｄａｒｄ  Ｔｅｓｔ  Ｍｅｔｈｏｄ  ｆｏｒ  Ｄｅｔｅｒｍｉｎｉｎｇ  Ｃａｒｃｉｎｏｇｅｎｉｃ  Ｐｏｔｅｎｔｉａｌ  ｏｆ  Ｖｉｒｇｉｎ  Ｂａｓｅ  Ｏｉｌｓ  ｉｎ  Ｍｅｔａｌｗｏｒｋｉｎｇ  Ｆｌｕｉｄｓ”に準拠して規定される変異原性指数ＭＩである。
【００４０】
変異原性指数ＭＩが１．０未満である（Ｂ）成分としてのエキストラクト（Ｂ１）の製造法は特に限定されないが、例として、プロセス油が、特許第３６２４６４６号公報に開示されている。
【００４１】
また、上記（Ｂ）成分としてのエキストラクト（Ｂ１）は、ベンゾ［ａ］ピレン（ＢａＰ）の含有量が１ｍｇ／ｋｇ以下であり、特定芳香族化合物（ＰＡＨ）が１０ｍｇ／ｋｇ以下であると発ガン性の懸念がなく、好ましい。ここで、該特定芳香族化合物（ＰＡＨ）とは、下記１）〜８）の芳香族化合物（ＰＡＨ）を意味する。
１）ベンゾ［ａ］ピレン（ＢａＰ）
２）ベンゾ［ｅ］ピレン（ＢｅＰ）
３）ベンゾ［ａ］アントラセン（ＢａＡ）
４）クリセン（ＣＨＲ）
５）ベンゾ［ｂ］フルオランテン（ＢｂＦＡ）
６）ベンゾ［ｊ］フルオランテン（ＢｊＦＡ）
７）ベンゾ［ｋ］フルオランテン（ＢｋＦＡ）
８）ジベンゾ［ａ，ｈ］アントラセン（ＤＢＡｈＡ）
なお、これらの特定芳香族化合物は、対象成分を分離・濃縮した後、内部標準物質を添加した試料を調製して、ＧＣ−ＭＳ分析により定量分析することができる。
【００４２】
ベンゾ［ａ］ピレン（ＢａＰ）の含有量が１ｍｇ／ｋｇ以下であり、特定芳香族化合物（ＰＡＨ）が１０ｍｇ／ｋｇ以下のエキストラクトの製造方法について、その製造方法に制限はないが、例えば、特開２０１０−２２９３１４号公報には、ＡＳＴＭＤ３２３８による％ＣＡが２５〜４５であって、ベンゾ［ａ］ピレン（ＢａＰ）の含有量が１ｍｇ／ｋｇ以下であり、特定芳香族化合物（ＰＡＨ）が１０ｍｇ／ｋｇ以下のエキストラクトの製造方法が開示されている。
【００４３】
また、上記（Ｂ）成分としてのエキストラクト（Ｂ１）は、そのベイプロトン濃度（％ＨBay）が０．３５％未満であることが好ましい。ここで、ベイプロトンとは縮合ベンゼン環に囲まれた「Ｂａｙ  ｒｅｇｉｏｎ」と呼ばれる部分の水素原子の割合を1Ｈ−ＮＭＲにて測定し、芳香族化合物の構造に伴う発がん性を判断するものである。測定方法はＩＳＯ  ２１４６１「Ｒｕｂｂｅｒ−Ｄｅｔｅｒｍｉｎａｔｉｏｎ  ｏｆ  ｔｈｅ  ａｒｏｍａｔｉｃｉｔｙ  ｏｆ  ｏｉｌ  ｉｎ  ｖｕｌｃａｎｉｚｅｄ  ｒｕｂｂｅｒ  ｃｏｍｐｏｕｎｄ」である。該ベイプロトン濃度が高いほど発がん性が高くなるといわれており、０．３５％未満であることが好ましい。
【００４４】
上記（Ｂ）成分としてのエキストラクト（Ｂ１）は、ベンゾ（ａ）ピレン（ＢａＰ）の含有量が１ｍｇ／ｋｇ以下で、特定芳香族化合物（ＰＡＨ）が１０ｍｇ／ｋｇ以下で、ベイプロトン濃度（％ＨBay）が０．３５％未満で、且つ変異原性指数ＭＩが１．０未満であることが特に好ましい。
【００４５】
本発明において、上記（Ｂ）成分としてのエキストラクト（Ｂ１）は、１００℃での動粘度が５〜１００ｍｍ2／ｓであることが好ましい。１００℃での動粘度が１００ｍｍ2／ｓを超えると、作業性が低下する。一方、１００℃での動粘度が５ｍｍ2／ｓ未満では、十分な芳香族性を確保することが著しく困難になり、本願発明の効果を発揮できなくなるおそれがある。また、１００℃での動粘度は、５０ｍｍ2／ｓ以下が好ましく、また、２０ｍｍ2／ｓ以上が好ましい。１００℃での動粘度が５０ｍｍ2／ｓ以下の場合、高温清浄性が高い。また、１００℃での動粘度が２０ｍｍ2／ｓ以上の場合も、高温清浄性が高い。
【００４６】
また、上記（Ｂ）成分としてのエキストラクト（Ｂ１）は、％ＣＡ（ＡＳＴＭ  Ｄ２１４０）が１５％未満の場合、溶解性が十分でない可能性がある。他方、エキストラクトの％ＣＡ（ＡＳＴＭ  Ｄ２１４０）が５０％を超える場合、ＤＭＳＯ抽出分を３％未満にすることが著しく困難になり、精製工程の経済性が悪くなるため好ましくない。
【００４７】
上記（Ｂ）成分としてのエキストラクト（Ｂ１）は、アニリン点が９０℃以下であることが好ましい。エキストラクトのアニリン点が９０℃を超えると、溶解性が低下するため好ましくない。
【００４８】
また、上記（Ｂ）成分としてのエキストラクト（Ｂ１）のカラムクロマトグラフィによる芳香族分が６０％未満の場合、溶解性が低下する恐れがある。他方、エキストラクトのカラムクロマトグラフィによる芳香族分が９５％を超える場合、ＤＭＳＯ抽出分を３％未満にすることが著しく困難になり、精製工程の経済性が悪くなるため好ましくない。
【００４９】
本発明の潤滑油組成物が上記（Ｂ）成分としてエキストラクト（Ｂ１）を含む場合、該エキストラクト（Ｂ１）の配合量は、基油全量基準で５質量％以上であり、好ましくは１０質量％以上である。また、該エキストラクトの配合量は、基油全量基準で９０質量％以下が好ましく、より好ましくは８０質量％以下である。上記（Ｂ）成分としてのエキストラクトの配合量が５質量％未満であるとピストン清浄性が悪化し、一方、９０質量％を超えると粘度指数が低下し、低温時の粘度の増加が大きくなるため好ましくない。
【００５０】
一方、本発明の潤滑油組成物は、上記（Ｂ）成分として、飽和炭化水素が９０質量％より少なく、硫黄分が元素量で０．０３質量％を超え、１００℃での動粘度が３０ｍｍ2／ｓ以上の鉱油系潤滑油基油（Ｂ２）を基油全量基準で２０質量％以上含んでもよい。
【００５１】
上記（Ｂ）成分としての鉱油系潤滑油基油（Ｂ２）は、飽和炭化水素が９０質量％より少なく、硫黄分が元素量で０．０３質量％を超え、１００℃での動粘度が３０ｍｍ2／ｓ以上であり、ＡＰＩ（米国石油学会）による基油分類に基づく分類でグループＩに分類されるものである。
【００５２】
上記鉱油系潤滑油基油（Ｂ２）の製造方法については、特に制限はないが、一般的には、原油を常圧蒸留して得られる常圧蒸留残渣油を、さらに減圧蒸留し、必要とする粘度留分を取り出し、それを精製して製造される。
【００５３】
上記鉱油系潤滑油基油（Ｂ２）の全芳香族分は、特に制限はないが、好ましくは３０質量％以上であり、更に好ましくは３５質量％以上であり、特に好ましくは４０〜６０質量％である。なお、該全芳香族分とは、ＡＳＴＭ  Ｄ２５４９に準拠して測定した芳香族留分含有量を意味する。
【００５４】
また、上記鉱油系潤滑油基油（Ｂ２）の硫黄分は、０．０３質量％を超え、一実施態様では０．１質量％以上であり、他の一実施態様では０．２〜１質量％である。
【００５５】
上記鉱油系潤滑油基油（Ｂ２）の１００℃での動粘度は、３０ｍｍ2／ｓ以上であり、好ましくは３０〜４０ｍｍ2／ｓ、特に好ましくは３０〜３５ｍｍ2／ｓである。鉱油系潤滑油基油（Ｂ２）の１００℃での動粘度が３０ｍｍ2／ｓ未満の場合は、スラッジの溶解性が低下する。
【００５６】
本発明の潤滑油組成物が上記（Ｂ）成分として鉱油系潤滑油基油（Ｂ２）を含む場合、該鉱油系潤滑油基油（Ｂ２）の配合量は、基油全量基準で２０質量％以上であり、好ましくは２５質量％以上であり、より好ましくは３０質量％以上であり、また、好ましくは５０質量％以下であり、より好ましくは４５質量％以下である。
【００５７】
本発明のトランクピストン型ディーゼル機関用潤滑油組成物における基油は、上記（Ｂ）成分として、上述のエキストラクト（Ｂ１）を基油全量基準で５質量％以上含む場合、更に、（Ｃ）ポリブテン系合成油又はその水素化物を含むことが好ましい。ここで、該ポリブテン系合成油又はその水素化物としては、ポリブテンが特に好ましく、該ポリブテンは、炭素数４のオレフィンであるブテンの重合体である。
【００５８】
上記（Ｃ）成分としてのポリブテン系合成油又はその水素化物とは、通常、ナフサの分解でエチレン、プロピレンを生産する際に生成するＣ4留分からブタジエンを抽出した残りの留分、即ち、ブタン−ブテン留分を、例えば塩化アルミニウムなどの触媒を用いてカチオン重合することにより得られる共重合物質又はこの共重合物質が有する二重結合を水素化して飽和化したものをいう。ここで、ブタン−ブテン留分とは、イソブタン、ｎ−ブタン、イソブチレン、１−ブテン、trans−２−ブテン、cis−２−ブテンなどを含むものである。
【００５９】
また、上記ポリブテン系合成油又はその水素化物の１００℃での動粘度は、６０ｍｍ2／ｓ以上が好ましく、１００ｍｍ2／ｓ以上が更に好ましく、また、３５０ｍｍ2／ｓ以下が好ましく、２５０ｍｍ2／ｓ以下が更に好ましい。ポリブテン系合成油又はその水素化物の１００℃での動粘度が６０ｍｍ2／ｓ以上の場合、基油の粘度が十分に上昇し、エンジンの潤滑性が充分となり、また、２５０ｍｍ2／ｓ以下の場合、ピストン清浄性が良好となり、また、排気系のカーボン堆積量の増加を抑制できる。
【００６０】
上記ポリブテン系合成油又はその水素化物としては、数平均分子量が５００以上１５００未満のものが好ましいが、数平均分子量５００〜１０００のものがより好ましく、数平均分子量５００〜９００のものが更に好ましい。ポリブテン系合成油又はその水素化物の数平均分子量が５００以上の場合、基油の粘度が十分に上昇し、エンジンの潤滑性が充分となり、また、数平均分子量が１５００未満の場合、ピストン清浄性が良好となり、また、排気系のカーボン堆積量の増加を抑制できる。
【００６１】
本発明の潤滑油組成物が上記（Ｃ）成分のポリブテン系合成油又はその水素化物を含む場合、その配合量は、基油全量基準で５〜６０質量％の範囲が好ましく、より好ましくは５０質量％以下、より一層好ましくは４０質量％以下、最も好ましくは３０質量％以下である。上記（Ｃ）成分の配合量が５質量％以上であれば、潤滑油としての粘度を十分に確保することができ、また、６０質量％以下であれば、粘度の高過ぎによる潤滑不良を防止できる。
【００６２】
また、本発明の潤滑油組成物の基油には、上記（Ｃ）成分に該当する以外の合成油系基油を混合させることも可能である。かかる合成油系基油としては、具体的には、イソブテンのオリゴマー、あるいは１−オクテン、１−デセン、１−ドデセンのホモオリゴマー及び／又はコオリゴマー等に代表される炭素数８〜１４のα−オレフィンのオリゴマーであるポリα−オレフィン又はその水素化物；ジトリデシルグルタレート、ジ−２−エチルヘキシルアジペート、ジイソデシルアジペート、ジトリデシルアジペート、ジ−２−エチルヘキシルセバケート等のジエステル；トリメチロールプロパンカプリレート、トリメチロールプロパンペラルゴネート、ペンタエリスリトール−２−エチルヘキサノエート、ペンタエリスリトールペラルゴネート等のポリオールエステル；マレイン酸ジブチル等のジカルボン酸類と炭素数２〜３０のα−オレフィンとの共重合体；アルキルナフタレン、アルキルベンゼン、芳香族エステル等の芳香族系合成油又はこれらの混合物等が例示できる。これらの中でも、好ましい合成油系基油は、ポリα−オレフィン（ＰＡＯ）と呼ばれる炭素数８〜１４のα−オレフィンのオリゴマーである。
【００６３】
本発明の潤滑油組成物の基油は、１００℃での動粘度が５〜１６ｍｍ2／ｓの範囲であり、好ましくは６ｍｍ2／ｓ以上、より一層好ましくは７ｍｍ2／ｓ以上、また、好ましくは１５ｍｍ2／ｓ以下、より一層好ましくは１４ｍｍ2／ｓ以下である。基油の１００℃での動粘度が５ｍｍ2／ｓ未満では、潤滑箇所での油膜形成が不十分であるため潤滑性に劣り、また基油の蒸発損失が大きくなる恐れがある。また、基油の１００℃での動粘度が１２ｍｍ2／ｓを超えると、低温時の流動性に問題が発生することが懸念される。
【００６４】
本発明の潤滑油組成物の基油は、粘度指数が８５以上であることが好ましく、９０以上であることが更に好ましい。基油の粘度指数が８５以上であると、高温での油膜保持性、および低温での粘性抵抗抑制が良好となる。
【００６５】
また、本発明の潤滑油組成物において、基油に含まれるアルミナシリカクロマト分析による２環以上の芳香族分は２質量％以上であることが好ましく、３〜２０質量％の範囲が更に好ましい。基油に含まれる２環以上の芳香族分が２質量％以上の場合、潤滑油組成物の高温清浄性が特に良好となる。
【００６６】
本発明の潤滑油組成物の基油の蒸発損失量としては、ＮＯＡＣＫ蒸発量で、２０質量％以下であることが好ましく、１６質量％以下であることが更に好ましく、１０質量％以下であることが特に好ましい。基油のＮＯＡＣＫ蒸発量が２０質量％を超える場合、潤滑油組成物の蒸発損失が大きく、粘度増加等の原因となるため好ましくない。なお、ここでいうＮＯＡＣＫ蒸発量とは、ＡＳＴＭ  Ｄ５８００に準拠して測定される基油の蒸発量を測定したものである。
【００６７】
本発明のトランクピストン型ディーゼル機関用潤滑油組成物は、必須成分として、（Ｄ）金属系清浄剤（以下（Ｄ）成分ということがある）を含有する。
【００６８】
上記（Ｄ）成分の金属系清浄剤としては、潤滑油用に通常用いられる任意の化合物が使用可能であり、例えば、スルホネート系清浄剤、フェネート系清浄剤、サリチレート系清浄剤、ナフテネート系清浄剤が挙げられる。使用に際しては、これら金属系清浄剤を単独あるいは２種以上組み合わせて用いることができる。
【００６９】
上記スルホネート系清浄剤としては、例えば、重量平均分子量４００〜１５００、好ましくは７００〜１３００のアルキル芳香族化合物をスルフォン化することによって得られるアルキル芳香族スルフォン酸の、アルカリ金属塩、アルカリ土類金属塩又はその（過）塩基性塩を用いることができる。アルカリ金属又はアルカリ土類金属としては、例えば、ナトリウム、カリウム、マグネシウム、バリウム、カルシウムが挙げられ、マグネシウム又はカルシウムが好ましく、カルシウムが特に好ましい。アルキル芳香族スルフォン酸としては、例えば、いわゆる石油スルフォン酸や合成スルフォン酸が挙げられる。ここでいう石油スルフォン酸としては、一般に鉱油の潤滑油留分のアルキル芳香族化合物をスルフォン化したものやホワイトオイル製造時に副生する、いわゆるマホガニー酸等が挙げられる。また、合成スルフォン酸としては、例えば、洗剤の原料となるアルキルベンゼン製造プラントから副生したり、ポリオレフィンをベンゼンにアルキル化することにより得られる、直鎖状や分枝状のアルキル基を有するアルキルベンゼンをスルフォン化したもの、あるいはジノニルナフタレン等のアルキルナフタレンをスルフォン化したものが用いられる。また、これらアルキル芳香族化合物をスルフォン化する際のスルフォン化剤としては特に制限はないが、通常、発煙硫酸や無水硫酸が用いられる。
【００７０】
上記フェネート系清浄剤としては、下記式（１）に示される構造を有する、アルキルフェノールサルファイドのアルカリ金属塩、アルカリ土類金属塩又はその（過）塩基性塩を用いることができる。アルカリ金属又はアルカリ土類金属としては、例えば、ナトリウム、カリウム、マグネシウム、バリウム、カルシウムが挙げられ、マグネシウム又はカルシウムが好ましく、カルシウムが特に好ましい。
【化１】
2014057640.tif 000002
【００７１】
式（１）中、Ｒ1は炭素数６〜２１の直鎖または分枝、飽和または不飽和のアルキル基又はアルケニル基を示し、ｍは重合度であって１〜１０の整数、Ｓは硫黄元素、ｘは１〜３の整数を示す。
【００７２】
式（１）におけるアルキル基及びアルケニル基の炭素数は、好ましくは９〜１８、より好ましくは９〜１５である。炭素数が６未満では基油に対する溶解性に劣るおそれがあり、一方、炭素数が２１を超える場合は製造が困難で、また耐熱性に劣るおそれがある。
【００７３】
フェネート系金属清浄剤の中では、式（１）に示される重合度ｍが４以上、特にはｍが４〜５のアルキルフェノールサルファイド金属塩を含有するものが、耐熱性が優れるため好ましい。
【００７４】
上記サリチレート系清浄剤としては、例えば、炭素数１〜１９の炭化水素基を１つ有するアルカリ金属、アルカリ土類金属サリチレート又はその（過）塩基性塩、炭素数２０〜４０の炭化水素基を１つ有するアルカリ金属、アルカリ土類金属サリチレート又はその（過）塩基性塩、炭素数１〜４０の炭化水素基を２つ又はそれ以上有するアルカリ金属、アルカリ土類金属サリチレート又はその（過）塩基性塩が挙げられる。これら炭化水素基は同一でも異なっていても良い。これらの中では、低温流動性に優れる点で、炭素数８〜１９の炭化水素基を１つ有するアルカリ金属、アルカリ土類金属サリチレート又はその（過）塩基性塩を用いることが望ましい。また、アルカリ金属又はアルカリ土類金属としては、例えば、ナトリウム、カリウム、マグネシウム、バリウム、カルシウムが挙げられ、マグネシウム及び／又はカルシウムが好ましく、カルシウムが特に好ましく用いられる。
【００７５】
上記（Ｄ）成分の塩基価は、５０〜５００ｍｇＫＯＨ／ｇの範囲が好ましく、１００〜４５０ｍｇＫＯＨ／ｇの範囲がより好ましく、１２０〜４００ｍｇＫＯＨ／ｇの範囲が更に好ましい。塩基価が５０ｍｇＫＯＨ／ｇ未満の場合は、腐食摩耗が増大するおそれがあり、一方、５００ｍｇＫＯＨ／ｇを超える場合は、溶解性に問題を生ずるおそれがある。
【００７６】
上記（Ｄ）成分の金属比は特に制限はないが、下限が好ましくは１以上、より好ましくは２以上、特に好ましくは２．５以上、上限が好ましくは２０以下、より好ましくは１９以下、特に好ましくは１８以下のものを使用することが望ましい。なお、ここでいう金属比とは、（Ｄ）成分における金属元素の価数×金属元素含有量（モル％）／せっけん基含有量（モル％）で表される。また、金属元素とは、カルシウム、マグネシウム等、せっけん基とはスルホン酸基、フェノール基、サリチル酸基等を意味する。
【００７７】
本発明の潤滑油組成物において、上記（Ｄ）成分は単独で用いることもできるが、２種以上を併用することが好ましい。併用する場合、特に、（１）過塩基性Ｃａフェネート／過塩基性Ｃａスルホネート、（２）過塩基性Ｃａフェネート／過塩基性Ｃａサリシレート、（３）過塩基性Ｃａフェネート／過塩基性Ｃａスルホネート／過塩基性Ｃａサリシレート、のいずれかの組み合わせが好ましい。
【００７８】
（１）過塩基性Ｃａフェネート／過塩基性Ｃａスルホネートあるいは（２）過塩基性Ｃａフェネート／過塩基性Ｃａサリシレートの好ましい比率は、添加剤配合の重量比率で０．１以上であり、０．２以上がさらに好ましく、０．３以上が最も好ましい。該比率が０．１未満では耐熱性が劣るためである。また、該比率は、９以下が好ましく、７以下がさらに好ましく、５以下が最も好ましい。該比率が９を超えるとＴＧＡ焼成試験における高さが十分でなく、ピストントップランドの堆積物が十分に減少しないためである。
【００７９】
（３）過塩基性Ｃａフェネート／過塩基性Ｃａスルホネート／過塩基性Ｃａサリシレートの場合は、過塩基性Ｃａフェネートに対する過塩基性Ｃａスルホネートと過塩基性Ｃａサリシレートとの合計が上記比率であることが好ましい。この場合、過塩基性Ｃａスルホネート／過塩基性Ｃａサリシレートの配合量の重量比率に制限はないが、０．１以上が好ましく、０．２以上がさらに好ましく、０．３以上が最も好ましい。該重量比率が０．１未満では３００℃をはるかに超える状態ではデポジットが逆に増える可能性があるためである。また、該重量比率は、９以下が好ましく、７以下がさらに好ましく、５以下が最も好ましい。該重量比率が９を超えると清浄性が低下する。
【００８０】
本発明の潤滑油組成物において、上記（Ｄ）成分の含有割合は、組成物全量基準で、好ましくは３〜３０質量％、より好ましくは６〜２５質量％、特に好ましくは８〜２０質量％である。（Ｄ）成分の含有割合が３質量％未満の場合は、必要とする清浄性および酸中和性が得られないおそれがあり、一方、３０質量％を超える場合は、過剰な金属成分がピストンに堆積するおそれがある。
【００８１】
本発明の潤滑油組成物において、上記（Ｄ）成分に基づく金属分の含有割合は、組成物全量基準で、好ましくは０．３５〜３．６質量％、より好ましくは１．０〜２．９質量％、特に好ましくは１．４〜２．７質量％である。（Ｄ）成分に基づく金属分の含有割合が０．７質量％未満の場合は、必要とする清浄性および酸中和性が得られないおそれがあり、一方、３．６質量％を超える場合は、ピストントップランドに過剰の灰分が堆積してライナーのボアポリッシングやスカッフィングが発生するおそれがある。
【００８２】
また、本発明のトランクピストン型ディーゼル機関用潤滑油組成物は、必須成分として（Ｅ）無灰分散剤（以下（Ｅ）成分ということがある）を含有する。
【００８３】
上記（Ｅ）成分としては、潤滑油に用いられる任意の無灰分散剤が使用でき、例えば、炭素数４０〜４００、好ましくは６０〜３５０の直鎖若しくは分枝状のアルキル基又はアルケニル基を分子中に少なくとも１個有する含窒素化合物又はその誘導体、マンニッヒ系分散剤、あるいはアルケニルコハク酸イミドの変性品が挙げられる。使用に際してはこれらの中から任意に選ばれる１種類あるいは２種類以上を配合することができる。
【００８４】
前記含窒素化合物又はその誘導体のアルキル基又はアルケニル基の炭素数が４０未満の場合、潤滑油基油に対する溶解性が低下するおそれがあり、一方、４００を超える場合は、本発明の潤滑油組成物の低温流動性が悪化するおそれがある。このアルキル基又はアルケニル基は、直鎖状でも分枝状でもよく、好ましくは、例えば、プロピレン、１−ブテン、イソブチレン等のオレフィンのオリゴマーや、エチレンとプロピレンとのコオリゴマーから誘導される分枝状アルキル基や分枝状アルケニル基が挙げられる。
【００８５】
上記（Ｅ）成分としては、例えば、以下の（Ｅ−１）成分〜（Ｅ−３）成分から選択される１種又は２種以上の化合物が挙げられる。
（Ｅ−１）炭素数４０〜４００のアルキル基又はアルケニル基を分子中に少なくとも１個有するコハク酸イミド、あるいはその誘導体、
（Ｅ−２）炭素数４０〜４００のアルキル基又はアルケニル基を分子中に少なくとも１個有するベンジルアミン、あるいはその誘導体、
（Ｅ−３）炭素数４０〜４００のアルキル基又はアルケニル基を分子中に少なくとも１個有するポリアミン、あるいはその誘導体。
【００８６】
上記（Ｅ−１）成分としては、下記式（２）又は（３）で示される化合物が例示できる。
【化２】
2014057640.tif 000003
【００８７】
式（２）中、Ｒ2は炭素数４０〜４００、好ましくは６０〜３５０のアルキル基又はアルケニル基を示し、ｈは１〜５、好ましくは２〜４の整数を示す。
【００８８】
一方、式（３）中、Ｒ3及びＲ4は、それぞれ個別に炭素数４０〜４００、好ましくは６０〜３５０のアルキル基又はアルケニル基を示し、特に好ましくはポリブテニル基である。また、ｉは０〜４、好ましくは１〜３の整数を示す。
【００８９】
上記（Ｅ−１）成分には、ポリアミンの一端に無水コハク酸が付加した式（２）で表される、いわゆるモノタイプのコハク酸イミドと、ポリアミンの両端に無水コハク酸が付加した式（３）で表される、いわゆるビスタイプのコハク酸イミドとが含まれるが、本発明の組成物には、それらのいずれも、あるいはこれらの混合物が含まれていてもよい。
【００９０】
上記（Ｅ−１）成分であるコハク酸イミドの製法は特に制限はなく、例えば、炭素数４０〜４００のアルキル基又はアルケニル基を有する化合物を、無水マレイン酸と１００〜２００℃で反応させて得たアルキルコハク酸又はアルケニルコハク酸をポリアミンと反応させることにより得られる。ここで、ポリアミンとしては、ジエチレントリアミン、トリエチレンテトラミン、テトラエチレンペンタミン、ペンタエチレンヘキサミンが例示できる。
【００９１】
上記（Ｅ−２）成分としては、下記式（４）で表される化合物が例示できる。
【化３】
2014057640.tif 000004
【００９２】
式（４）中、Ｒ5は炭素数４０〜４００、好ましくは６０〜３５０のアルキル基又はアルケニル基を示し、ｊは１〜５、好ましくは２〜４の整数を示す。
【００９３】
上記（Ｅ−２）成分であるベンジルアミンの製法は特に制限はなく、例えば、プロピレンオリゴマー、ポリブテン、又はエチレン−α−オレフィン共重合体等のポリオレフィンを、フェノールと反応させてアルキルフェノールとした後、これにホルムアルデヒドと、ジエチレントリアミン、トリエチレンテトラミン、テトラエチレンペンタミン、又はペンタエチレンヘキサミン等のポリアミンとをマンニッヒ反応により反応させる方法が挙げられる。
【００９４】
上記（Ｅ−３）成分としては、下記式（５）で表される化合物が例示できる。
Ｒ6−ＮＨ−（ＣＨ2ＣＨ2ＮＨ）k−Ｈ  ・・・（５）
【００９５】
式（５）中、Ｒ6は炭素数４０〜４００、好ましくは６０〜３５０のアルキル基又はアルケニル基を示し、ｋは１〜５、好ましくは２〜４の整数を示す。
【００９６】
上記（Ｅ−３）成分であるポリアミンの製法は特に制限はなく、例えば、プロピレンオリゴマー、ポリブテン、又はエチレン−α−オレフィン共重合体等のポリオレフィンを塩素化した後、これにアンモニアやエチレンジアミン、ジエチレントリアミン、トリエチレンテトラミン、テトラエチレンペンタミン、又はペンタエチレンヘキサミン等のポリアミンを反応させる方法が挙げられる。
【００９７】
（Ｅ）成分として例示した含窒素化合物の誘導体としては、例えば、前述の含窒素化合物に炭素数１〜３０の、脂肪酸等のモノカルボン酸や、シュウ酸、フタル酸、トリメリット酸、ピロメリット酸等の炭素数２〜３０のポリカルボン酸若しくはこれらの無水物、又はエステル化合物、炭素数２〜６のアルキレンオキサイド、ヒドロキシ（ポリ）オキシアルキレンカーボネートを作用させて、残存するアミノ基及び／又はイミノ基の一部又は全部を中和したり、アミド化した、いわゆる含酸素有機化合物による変性化合物；前述の含窒素化合物にホウ酸を作用させて、残存するアミノ基及び／又はイミノ基の一部又は全部を中和したり、アミド化した、いわゆるホウ素変性化合物；前述の含窒素化合物にリン酸を作用させて、残存するアミノ基及び／又はイミノ基の一部又は全部を中和したり、アミド化した、いわゆるリン酸変性化合物；前述の含窒素化合物に硫黄化合物を作用させた硫黄変性化合物；及び前述の含窒素化合物に含酸素有機化合物による変性、ホウ素変性、リン酸変性、硫黄変性から選ばれた２種以上の変性を組み合わせた変性化合物が挙げられる。これらの誘導体の中でもアルケニルコハク酸イミドのホウ酸変性化合物、特にビスタイプのアルケニルコハク酸イミドのホウ酸変性化合物は、上述の（Ａ）成分と併用することで耐熱性を更に向上させることができる。
【００９８】
本発明の潤滑油組成物において、上記（Ｅ）成分の含有割合は、組成物全量基準で、好ましくは０．１〜３．０質量％、より好ましくは０．２〜２．５質量％、特に好ましくは０．３〜２．０質量％である。また、該（Ｅ）成分の含有割合は、組成物全量基準で、窒素量として、通常０．００５〜０．４質量％、好ましくは０．０１〜０．２質量％、さらに好ましくは０．０１〜０．１質量％、特に好ましくは０．０２〜０．０５質量％である。また、（Ｅ）成分として、ホウ素含有無灰分散剤を使用する場合、そのホウ素含有量と窒素含有量との質量比（Ｂ／Ｎ比）は特に制限はないが、好ましくは０．５〜１、より好ましくは０．７〜０．９である。Ｂ／Ｎ比が高いほど摩耗防止性、耐焼付き性を向上させ易いが、１を超える場合は、安定性に懸念がある。また、ホウ素含有無灰分散剤を使用する場合、その含有割合は特に制限はないが、組成物全量基準で、ホウ素量として、好ましくは０．００１〜０．１質量％、より好ましくは０．００５〜０．０５質量％、特に好ましくは０．０１〜０．０４質量％である。
【００９９】
本発明の潤滑油組成物において（Ｅ）成分は、ホウ素含有量が好ましくは０．５質量％以上、より好ましくは１．０質量％以上、さらに好ましくは１．５質量％以上、特に好ましくは１．８質量％のホウ素含有無灰分散剤、特には、ビスタイプのホウ素含有コハク酸イミド系無灰分散剤を含有させることが最も望ましい。なお、ここでいうホウ素含有量が０．５質量％以上のホウ素含有無灰分散剤は、１０〜９０質量％、好ましくは３０〜７０質量％の、例えば、鉱油、合成油等の希釈油を含んでいてもよく、そのホウ素含有量は、通常、希釈油を含んだ状態でのホウ素含有量を意味する。
【０１００】
本発明の潤滑油組成物における（Ｅ）成分の無灰分散剤の数平均分子量（Ｍｎ）は、２５００以上であることが好ましく、より好ましくは３０００以上、さらに好ましくは４０００以上、最も好ましくは５０００以上であるが、１００００以下であることが好ましい。無灰分散剤の数平均分子量が２５００未満では、分散性が十分でない可能性がある。逆に、無灰分散剤の数平均分子量が１００００を超えると、粘度が高すぎ、流動性が不十分となり、デポジット増加の原因となる。
【０１０１】
なお、本発明において、（Ｅ）成分の無灰分散剤の配合量及び有効濃度は、無灰分散剤の数平均分子量（Ｍｎ）と配合量と有効濃度の積が９０００以上となることが好ましく、（Ｅ）成分の無灰分散剤の有効濃度（最初に試料として採取したサンプル量に対するゴム膜内に残った質量の比）は、０．３０〜０．７０の範囲が好ましく、（Ｅ）成分の無灰分散剤の組成物中の濃度（配合量と有効濃度の積）は、潤滑油組成物全量基準で０．９〜１４質量％の範囲が好ましい。
【０１０２】
本発明の潤滑油組成物は、その他の成分として硫黄系極圧剤を含有することが好ましい。該硫黄系極圧剤としては、例えば、ジヒドロカルビルポリサルファイド、硫化脂肪酸、硫化オレフィン、硫化エステル、硫化油脂、硫化鉱油、チアゾール化合物、チアジアゾール化合物、アルキルチオカーバメート化合物が好ましく挙げられる。
【０１０３】
また、本発明の潤滑油組成物は、有機モリブデン化合物を含有することが好ましい。該有機モリブデン化合物としては、例えば、モリブデンジチオホスフェート、モリブデンジチオカーバメート（ＭｏＤＴＣ）等の硫黄を含有する有機モリブデン化合物；モリブデン化合物（例えば、二酸化モリブデン、三酸化モリブデン等の酸化モリブデン；オルトモリブデン酸、パラモリブデン酸、（ポリ）硫化モリブデン酸等のモリブデン酸；これらモリブデン酸の金属塩、アンモニウム塩等のモリブデン酸塩；二硫化モリブデン、三硫化モリブデン、五硫化モリブデン、ポリ硫化モリブデン等の硫化モリブデン；硫化モリブデン酸、硫化モリブデン酸の金属塩またはアミン塩、塩化モリブデン等のハロゲン化モリブデン）と、硫黄含有有機化合物［例えば、アルキル（チオ）キサンテート、チアジアゾール、メルカプトチアジアゾール、チオカーボネート、テトラハイドロカルビルチウラムジスルフィド、ビス（ジ（チオ）ハイドロカルビルジチオホスホネート）ジスルフィド、有機（ポリ）サルファイド、硫化エステル］あるいはその他の有機化合物との錯体；あるいは、上記硫化モリブデン、硫化モリブデン酸等の硫黄含有モリブデン化合物と、アルケニルコハク酸イミドとの錯体を挙げることができる。
【０１０４】
さらに、本発明の潤滑油組成物は、摩耗防止剤として、ジチオリン酸亜鉛（ＺｎＤＴＰ）を含有することが好ましい。該ジチオリン酸亜鉛としては、例えば、ジプロピルジチオリン酸亜鉛、ジブチルジチオリン酸亜鉛、ジペンチルジチオリン酸亜鉛、ジヘキシルジチオリン酸亜鉛、ジヘプチルジチオリン酸亜鉛、又はジオクチルジチオリン酸亜鉛等の炭素数３〜１８、好ましくは炭素数３〜１０の直鎖状若しくは分枝状（第１級、第２級又は第３級、好ましくは第１級又は第２級）アルキル基を有するジアルキルジチオリン酸亜鉛；ジフェニルジチオリン酸亜鉛、又はジトリルジチオリン酸亜鉛等の炭素数６〜１８、好ましくは炭素数６〜１０のアリール基若しくはアルキルアリール基を有するジ（（アルキル）アリール）ジチオリン酸亜鉛、又はこれら２種以上の混合物が挙げられる。
【０１０５】
本発明の潤滑油組成物は、上記構成成分に加え、その性能を更に向上させるため又は他に要求される性能を付加するために、その目的に応じて潤滑油に一般的に使用されている任意の添加剤をさらに含有させることができる。このような添加剤としては、例えば、酸化防止剤、無灰摩擦調整剤、腐食防止剤、防錆剤、抗乳化剤、金属不活性化剤、消泡剤、又は着色剤が挙げられる。
【０１０６】
上記酸化防止剤としては、例えば、フェノール系、アミン系等の無灰酸化防止剤；亜鉛系、銅系、モリブデン系等の金属系酸化防止剤が挙げられる。これらを含有させる場合の割合は、組成物全量基準で、通常０．１〜５質量％である。
【０１０７】
上記無灰摩擦調整剤としては、例えば、脂肪酸エステル系、脂肪族アミン系、脂肪酸アミド系が挙げられる。これらを含有させる場合の割合は、組成物全量基準で、通常０．１〜５質量％である。
【０１０８】
上記腐食防止剤としては、例えば、ベンゾトリアゾール系、トリルトリアゾール系、チアジアゾール系、又はイミダゾール系化合物が挙げられる。
【０１０９】
上記防錆剤としては、例えば、石油スルホネート、アルキルベンゼンスルホネート、ジノニルナフタレンスルホネート、アルケニルコハク酸エステル、又は多価アルコールエステルが挙げられる。
【０１１０】
上記抗乳化剤としては、例えば、ポリオキシエチレンアルキルエーテル、ポリオキシエチレンアルキルフェニルエーテル、又はポリオキシエチレンアルキルナフチルエーテル等のポリアルキレングリコール系非イオン系界面活性剤が挙げられる。
【０１１１】
上記金属不活性化剤としては、例えば、イミダゾリン、ピリミジン誘導体、アルキルチアジアゾール、メルカプトベンゾチアゾール、ベンゾトリアゾール又はその誘導体、１，３，４−チアジアゾールポリスルフィド、１，３，４−チアジアゾリル−２，５−ビスジアルキルジチオカーバメート、２−（アルキルジチオ）ベンゾイミダゾール、又はβ−（ｏ−カルボキシベンジルチオ）プロピオンニトリルが挙げられる。
【０１１２】
上記消泡剤としては、例えば、２５℃における動粘度が０．１〜１００ｍｍ2／ｓ未満のシリコーンオイル、アルケニルコハク酸誘導体等が挙げられる。
【０１１３】
これらの添加剤を本発明の潤滑油組成物に含有させる場合には、その含有量は組成物全量基準で、通常０．００５〜５質量％、消泡剤では通常０．０００５〜１質量％の範囲から選ばれる。
【０１１４】
本発明のトランクピストン型ディーゼル機関用潤滑油組成物は、１００℃での動粘度が５．６〜１６．３ｍｍ2／ｓであることが好ましく、７〜１５ｍｍ2／ｓであることが更に好ましい。潤滑油組成物の１００℃での動粘度が５．６ｍｍ2／ｓ以上であれば、油膜形成能が十分で、スカッフィングの発生や過大な摩耗の発生を抑制でき、また、１６．３ｍｍ2／ｓ以下であれば、ピストンライナー間での拡がり性が良好で充分な潤滑性能を保持できる。
【０１１５】
本発明のトランクピストン型ディーゼル機関用潤滑油組成物は、塩基価が９〜５５ｍｇＫＯＨ／ｇ（過塩素酸法）であることが好ましく、更に好ましくは１０〜５０ｍｇＫＯＨ／ｇ、より一層好ましくは１１〜４５ｍｇＫＯＨ／ｇである。潤滑油組成物の塩基価が９ｍｇＫＯＨ／ｇ未満では、酸中和性が不足し、ピストン清浄性が不足する。また、潤滑油組成物の塩基価が５５ｍｇＫＯＨ／ｇを超えると、過剰の塩基価、すなわち金属炭酸塩がデポジットを形成し摩耗やピストンリング膠着を引き起こすこととなる。なお、本発明において、塩基価は、ＪＩＳ  Ｋ２５０１「石油製品及び潤滑油−中和価試験法」の７．に準拠して測定される過塩素酸法による塩基価を意味する。
【実施例】
【０１１６】
以下、本発明の内容を実施例及び比較例によってさらに具体的に説明するが、本発明はこれらに何ら限定されるものではない。【０１１７】
（実施例１〜１０、比較例１〜４）
表１に示す配合処方の潤滑油組成物を調製し、ＪＰＩ−５Ｓ−５５−９９に準拠して、ホットチューブ試験を実施した。結果を表１に示す。なお、表１中、基油の量は、基油全量基準での含有量であり、一方、添加剤の量は、組成物全量基準での含有量である。【０１１８】
＜ホットチューブ試験＞
各試験油９０質量％とＣ重油１０質量％との混合油を用いて、ＪＰＩ−５Ｓ−５５−９９に準拠して、３００℃でホットチューブ試験を実施し、試験後のテストチューブ変色部の色相の濃さの評点［０点（黒色）から１０点（透明＝最良）の間］で評価した。評点が高いほど、高温清浄性に優れることを示す。【０１１９】
【表１】
2014057640.tif 000005
【０１２０】
鉱油系基油１：グループＩＩ基油、４０℃での動粘度＝３１．０ｍｍ2／ｓ、１００℃での動粘度＝５．６ｍｍ2／ｓ、粘度指数＝１１９、％ＣＡ＝０、％ＣＮ＝２７．１、％ＣＰ＝７２．９、窒素分＝３ｐｐｍ未満、硫黄分＝０．０１質量％、飽和炭化水素＝９８．８質量％
鉱油系基油２：グループＩＩ基油、４０℃での動粘度＝９３．９ｍｍ2／ｓ、１００℃での動粘度＝１０．７ｍｍ2／ｓ、粘度指数＝９７、％ＣＡ＝０、％ＣＮ＝３３．９、％ＣＰ＝６６．１、窒素分＝３ｐｐｍ未満、硫黄分＝０．０１質量％、飽和炭化水素＝９８．９質量％
鉱油系基油３：グループＩＩ基油、４０℃での動粘度＝３８７．３ｍｍ2／ｓ、１００℃での動粘度＝２９．４ｍｍ2／ｓ、粘度指数＝１０５、％ＣＡ＝０、％ＣＮ＝２８．８、％ＣＰ＝７１．２、窒素分＝１００ｐｐｍ未満、硫黄分＝４質量ｐｐｍ、飽和炭化水素＝９９．１質量％
鉱油系基油４：グループＩ基油、４０℃での動粘度＝４７６．１ｍｍ2／ｓ、１００℃での動粘度＝３１．４ｍｍ2／ｓ、粘度指数＝９６、％ＣＡ＝８、％ＣＮ＝２３．３、％ＣＰ＝６８．６、窒素分＝５４ｐｐｍ、硫黄分＝０．４４質量％、飽和炭化水素＝４７．１質量％【０１２１】
ポリブテン、４０℃での動粘度＝３，４５０ｍｍ2／ｓ、１００℃での動粘度＝１１０ｍｍ2／ｓ、粘度指数＝９８、数平均分子量＝８００【０１２２】
エキストラクト１：ＴＤＡＥ、４０℃での動粘度＝１，１８５ｍｍ2／ｓ、１００℃での動粘度＝３４．１ｍｍ2／ｓ、粘度指数＝１４、％ＣＡ＝２９．５、％ＣＮ＝１６．３、％ＣＰ＝５４．２、窒素分＝８７０ｐｐｍ、硫黄分＝３．８質量％、ＤＭＳＯ抽出ＰＣＡ量＝２．８質量％
エキストラクト２：ＲＡＥ、４０℃での動粘度＝３，７３９ｍｍ2／ｓ、１００℃での動粘度＝７０．５ｍｍ2／ｓ、粘度指数＝３６、％ＣＡ＝３３．８、％ＣＮ＝７．２、％ＣＰ＝５９．０、窒素分＝１，５００ｐｐｍ、硫黄分＝３．７質量％、ベンゾ［ａ］ピレン含有量＝０．５ｍｇ／ｋｇ未満、ＰＡＨ８種｛＊（１）ベンゾ［ａ］アントラセン、（２）ベンゾ［ｂ］フルオランテン、（３）ベンゾ［ｊ］フルオランテン、（４）ベンゾ［ｋ］フルオランテン、（５）ベンゾ［ａ］ピレン、（６）ジベンゾ［ａ，ｈ］アントラセン、（７）トリフェニレン、（８）クリセン｝＝１．６ｍｇ／ｋｇ未満、ＭＩ値＝０．４未満【０１２３】
Ｃａサリシレート：２３０ｍｇＫＯＨ／ｇ
Ｃａフェネート：２５０ｍｇＫＯＨ／ｇ
分散剤：ホウ素化アルケニルコハク酸イミド、ホウ素含有量＝０．５質量％
酸化防止剤：亜鉛系酸化防止剤【０１２４】
実施例１〜４と比較例１の結果から、グループＩＩタイプの鉱油系基油からなる試験油（比較例１）に対し、さらにエキストラクトを組み合わせて芳香族分を添加した試験油（実施例１〜４）は、優れた高温清浄性を示すこと分かる。【０１２５】
実施例５〜６と比較例２の結果から、グループＩＩタイプの鉱油系基油に、グループＩタイプの鉱油系基油を基油全量基準で２０質量％以上配合することで、優れた高温清浄性が発現すること分かる。【０１２６】
また、実施例７〜１０の結果から、グループＩＩタイプの鉱油系基油にエキストラクトを組み合わせ、更にポリブテンを組み合わせることで、組成物の高温清浄性が向上することが分かる。【０１２７】
以上の結果から、グループＩＩ及び／又はグループＩＩＩタイプの鉱油系基油にエキストラクト又はグループＩタイプの鉱油系基油を組み合わせることにより、適切な粘度を確保しつつ、適度な芳香族成分含有量をもたせ、優れた高温清浄性を有するトランクピストン型ディーゼル機関用潤滑油を提供できることが分かる。
【国際調査報告】
2014057640.tif 000006
2014057640.tif 000007
2014057640.tif 000008
2014057640.tif 000009